(57)【要約】【課題】Ｗ−ＤＬＮＡの外部サーバとして機能する携帯電話を提供する。【解決手段】１又は複数のコンテンツを、そのタイトルとともに記憶する携帯電話１０であって、Ｗ−ＤＬＮＡ宅内ゲートウェイ用モジュール２２に対して、前記各コンテンツのタイトルを含むタイトル一覧情報を送信し、Ｗ−ＤＬＮＡ宅内ゲートウェイ用モジュール２２から、コンテンツ提示装置において前記タイトル一覧に含まれるタイトルのうちの１つが選択されたことを示す選択結果情報を受信し、前記選択結果情報により示されるタイトルに対応するコンテンツをＷ−ＤＬＮＡ宅内ゲートウェイ用モジュール２２に対して送信する、ことを特徴とする。【選択図】図１
2008252811.tif 000002
【特許請求の範囲】
【請求項１】
１又は複数のコンテンツを、そのタイトルとともに記憶する携帯電話であって、
コンテンツ提供装置に対して、前記各コンテンツのタイトルを含むタイトル一覧情報を送信し、
前記コンテンツ提供装置から、コンテンツ提示装置において前記タイトル一覧に含まれるタイトルのうちの１つが選択されたことを示す選択結果情報を受信し、
前記選択結果情報により示されるタイトルに対応するコンテンツを前記コンテンツ提供装置に対して送信する、
ことを特徴とする携帯電話。
【請求項２】
請求項１に記載の携帯電話及び複数の前記コンテンツ提供装置と通信ネットワークを介して接続される通信サーバであって、
前記各コンテンツ提供装置の前記通信ネットワークにおけるアドレスを記憶し、
前記携帯電話に対し、前記アドレスを送信する、
ことを特徴とする通信サーバ。
【請求項３】
請求項２に記載の通信サーバにおいて、
前記各アドレスと１又は複数のユーザＩＤとを対応付けて記憶し、
前記携帯電話から前記ユーザＩＤを受信し、前記各アドレスのうち、受信したユーザＩＤと対応付けて記憶されているアドレスを送信する、
ことを特徴とする通信サーバ。
【請求項４】
請求項１に記載の携帯電話と、複数の前記コンテンツ提供装置と通信ネットワークを介して接続される通信サーバと、を含む通信システムであって、
前記通信サーバは、前記各コンテンツ提供装置の前記通信ネットワークにおけるアドレスを記憶するとともに、前記携帯電話に対し、前記アドレスを送信し、
前記携帯電話は、前記通信サーバから前記アドレスを受信し、該アドレスによって示されるコンテンツ提供装置と通信を開始するとともに、通信中、所定情報を定期的に前記コンテンツ提供装置に対して送信する、
ことを特徴とする通信システム。
【請求項５】
請求項１に記載の携帯電話及び１又は複数のコンテンツを記憶するコンテンツサーバと接続され、前記携帯電話からコンテンツを受信するコンテンツ提供装置であって、
前記携帯電話から受信したコンテンツについて、前記コンテンツサーバに、その高解像度版が記憶されているか否かを判定し、
記憶されていると判定した場合に、前記高解像度版を前記コンテンツサーバから読み出し、コンテンツ提示装置に対して送信する、
ことを特徴とするコンテンツ提供装置。
【請求項６】
請求項５に記載のコンテンツ提供装置において、
前記携帯電話から受信するコンテンツ及び前記コンテンツサーバに記憶されるコンテンツには、該コンテンツの識別情報と、該コンテンツの解像度を示す解像度情報と、が付加されており、
当該コンテンツ提供装置は、前記識別情報及び前記解像度情報を用いて、前記携帯電話から受信したコンテンツについて、前記コンテンツサーバに、その高解像度版が記憶されているか否かを判定する、
ことを特徴とするコンテンツ提供装置。
【請求項７】
１又は複数のコンテンツを、そのタイトルとともに記憶する携帯電話を用いてコンテンツ提供を行うためのコンテンツ提供方法であって、
前記携帯電話が、コンテンツ提供装置に対して、前記各コンテンツのタイトルを含むタイトル一覧情報を送信するステップと、
前記携帯電話が、前記コンテンツ提供装置から、コンテンツ提示装置において前記タイトル一覧に含まれるタイトルのうちの１つが選択されたことを示す選択結果情報を受信するステップと、
前記携帯電話が、前記選択結果情報により示されるタイトルに対応するコンテンツを前記コンテンツ提供装置に対して送信するステップと、
を含むことを特徴とするコンテンツ提供方法。
【請求項８】
コンピュータを、１又は複数のコンテンツを、そのタイトルとともに記憶する携帯電話として機能させるためのプログラムであって、
コンテンツ提供装置に対して、前記各コンテンツのタイトルを含むタイトル一覧情報を送信するステップ、
前記コンテンツ提供装置から、コンテンツ提示装置において前記タイトル一覧に含まれるタイトルのうちの１つが選択されたことを示す選択結果情報を受信するステップ、及び
前記選択結果情報により示されるタイトルに対応するコンテンツを前記コンテンツ提供装置に対して送信するステップ、
を前記コンピュータに実行させるためのプログラム。
【発明の詳細な説明】
【技術分野】
【０００１】
本発明は、携帯電話、通信サーバ、通信システム、コンテンツ提供装置、コンテンツ提供方法、及びプログラムに関する。
【背景技術】
【０００２】
近年、マルチメディア対応の携帯電話が広く普及してきているが、それに伴い、友人が携帯電話内にため込むコンテンツ（ビデオ映像、写真、音楽等。携帯電話のカメラで撮影中のビデオ映像も含む。）を、自分も見たいという要求が高まってきている。この要求を満たす方法としては、現在のところ、電子メールが一般的である。
【０００３】
ところで、近年、一般家庭において、宅内ネットワークを用いてＨＤＤレコーダーや家電機器等のコンテンツ提供装置（ＤＭＳ:Digital Media Serverと呼ばれる。）とテレビ等のコンテンツ提示装置（ＤＭＰ:Digital Media Playerと呼ばれる。）とを接続し、コンテンツ提供装置の有する情報をコンテンツ提示装置で視聴可能とするＤＬＮＡ(Digital Living Network Alliance)と呼ばれる規格が注目されている。
【０００４】
ＤＬＮＡにおいて、コンテンツ提供装置は、コンテンツのタイトル一覧と、各コンテンツと、を記憶している。コンテンツ提示装置は、通信可能なコンテンツ提供装置を検索する機能を有し、検索されたコンテンツ提供装置からタイトル一覧を取得して、各タイトルを各一行で表示する。コンテンツ提示装置には通常リモコンが付属しており、ユーザがリモコンを用いて特定のタイトルが表示された行を選択すると、コンテンツ提示装置はそのタイトルに係るコンテンツをコンテンツ提供装置から取得し、提示（表示及び発音）する。
【０００５】
また、出願人は近年、ＤＬＮＡを外部ネットワークと接続しようという技術（Ｗ−ＤＬＮＡという。）を開発している（非特許文献１参照）。これによれば、外部のサーバと通信回線で接続されたコンテンツ提供装置（Ｗ−ＤＬＮＡ宅内ゲートウェイ用モジュール）を宅内に用意する。このコンテンツ提供装置は、外部サーバが有するコンテンツのタイトル一覧を取得する。コンテンツ提示装置は、このタイトル一覧を、宅内の他のコンテンツ提供装置が保持しているタイトル一覧と同様に取り扱い、ユーザに対して表示する。ユーザがこのタイトルの中の１つを選択すると、コンテンツ提示装置は、選択されたコンテンツの取得をコンテンツ提供装置に要求する。コンテンツ提供装置は、この要求を受けると外部サーバにコンテンツを取得しにいき、取得したものを、コンテンツ提示装置に転送する。
【非特許文献１】株式会社ＫＤＤＩ研究所、「情報家電の広域利用技術（Ｗ−ＤＬＮＡ）の開発について」、［online］、２００６年１２月１９日、［平成１９年３月２６日検索］、インターネット〈URL：http://www.kddilabs.jp/pr_pdf/20061219DLNA.pdf〉
【発明の開示】
【発明が解決しようとする課題】
【０００６】
しかしながら、電子メールで送られたコンテンツを見るためには携帯電話かパソコンが必要であり、家庭のテレビで、あたかもテレビ番組や録画ビデオ映像を見るように見ることはできない。
【０００７】
そこで近年、家庭のテレビで、あたかもテレビ番組や録画ビデオ映像を見るように、他人の携帯電話内のコンテンツを見ることができるようにすることが求められている。
この点、上記Ｗ−ＤＬＮＡにおいて、携帯電話を外部サーバとして機能させることができれば、家庭のテレビで携帯電話内のコンテンツを見ることができるようになる。
【０００８】
従って、本発明の課題の一つは、Ｗ−ＤＬＮＡの外部サーバとして機能する携帯電話を提供するための携帯電話、通信サーバ、通信システム、コンテンツ提供装置、コンテンツ提供方法、及びプログラムを提供することにある。
【課題を解決するための手段】
【０００９】
上記課題を解決するための本発明にかかる携帯電話は、１又は複数のコンテンツを、そのタイトルとともに記憶する携帯電話であって、コンテンツ提供装置に対して、前記各コンテンツのタイトルを含むタイトル一覧情報を送信し、前記コンテンツ提供装置から、コンテンツ提示装置において前記タイトル一覧に含まれるタイトルのうちの１つが選択されたことを示す選択結果情報を受信し、前記選択結果情報により示されるタイトルに対応するコンテンツを前記コンテンツ提供装置に対して送信する、ことを特徴とする。
これによれば、上記携帯電話は、Ｗ−ＤＬＮＡの外部サーバとして機能することができる。
【００１０】
また、本発明にかかる通信サーバは、上記携帯電話及び複数の前記コンテンツ提供装置と通信ネットワークを介して接続される通信サーバであって、前記各コンテンツ提供装置の前記通信ネットワークにおけるアドレスを記憶し、前記携帯電話に対し、前記アドレスを送信する、ことを特徴とする。
これによれば、携帯電話はコンテンツ提供装置と通信できるようになり、上記通信サーバは、携帯電話をＷ−ＤＬＮＡの外部サーバとして機能させることができる。
【００１１】
また、上記通信サーバにおいて、前記各アドレスと１又は複数のユーザＩＤとを対応付けて記憶し、前記携帯電話から前記ユーザＩＤを受信し、前記各アドレスのうち、受信したユーザＩＤと対応付けて記憶されているアドレスを送信する、こととしてもよい。
これによれば、ユーザＩＤにより、携帯電話が通信可能なコンテンツ提供装置を制限することができる。
【００１２】
また、本発明にかかる通信システムは、上記携帯電話と、複数の前記コンテンツ提供装置と通信ネットワークを介して接続される通信サーバと、を含む通信システムであって、前記通信サーバは、前記各コンテンツ提供装置の前記通信ネットワークにおけるアドレスを記憶するとともに、前記携帯電話に対し、前記アドレスを送信し、前記携帯電話は、前記通信サーバから前記アドレスを受信し、該アドレスによって示されるコンテンツ提供装置と通信を開始するとともに、通信中、所定情報を定期的に前記コンテンツ提供装置に対して送信する、ことを特徴とする。
一般に、携帯電話は一定時間送受信するものがないと通信を切断してしまう。しかし、上記通信システムによれば、携帯電話は、コンテンツ提供装置と通信開始した後、ユーザの意思（切断ボタンの押下等）や無線状態の悪化により通信が終了するまでの間、コンテンツ提供装置と通信を保つことができるようになる。そしてこれにより、選択結果情報を適切に受信できるようになる。
【００１３】
また、本発明にかかるコンテンツ提供装置は、上記携帯電話及び１又は複数のコンテンツを記憶するコンテンツサーバと接続され、前記携帯電話からコンテンツを受信するコンテンツ提供装置であって、前記携帯電話から受信したコンテンツについて、前記コンテンツサーバに、その高解像度版が記憶されているか否かを判定し、記憶されていると判定した場合に、前記高解像度版を前記コンテンツサーバから読み出し、コンテンツ提示装置に対して送信する、ことを特徴とする。
携帯電話は、パソコン等に比べ、メモリ容量が少なくＣＰＵのスペックも低いため、記憶しているコンテンツの解像度が低くなっていることが多く、解像度の低いコンテンツは、携帯電話の小さな画面で見るのには良いが、家庭の大画面テレビで見るのには適さない。上記コンテンツ提供装置によれば、携帯電話から受信したコンテンツの高解像度版がコンテンツサーバにある場合には、携帯電話から受信したコンテンツに代えて高解像度版をコンテンツ提示装置に対して送信することができるので、コンテンツ提示装置は、家庭の大画面テレビで見るのに適したコンテンツを提示できるようになる。
【００１４】
また、上記コンテンツ提供装置において、前記携帯電話から受信するコンテンツ及び前記コンテンツサーバに記憶されるコンテンツには、該コンテンツの識別情報と、該コンテンツの解像度を示す解像度情報と、が付加されており、当該コンテンツ提供装置は、前記識別情報及び前記解像度情報を用いて、前記携帯電話から受信したコンテンツについて、前記コンテンツサーバに、その高解像度版が記憶されているか否かを判定する、こととしてもよい。
これによれば、コンテンツ提供装置は、高解像度版の有無を適切に判定することができるようになる。
【００１５】
また、本発明にかかるコンテンツ提供方法は、１又は複数のコンテンツを、そのタイトルとともに記憶する携帯電話を用いてコンテンツ提供を行うためのコンテンツ提供方法であって、前記携帯電話が、コンテンツ提供装置に対して、前記各コンテンツのタイトルを含むタイトル一覧情報を送信するステップと、前記携帯電話が、前記コンテンツ提供装置から、コンテンツ提示装置において前記タイトル一覧に含まれるタイトルのうちの１つが選択されたことを示す選択結果情報を受信するステップと、前記携帯電話が、前記選択結果情報により示されるタイトルに対応するコンテンツを前記コンテンツ提供装置に対して送信するステップと、を含むことを特徴とする。
【００１６】
また、本発明にかかるプログラムは、コンピュータを、１又は複数のコンテンツを、そのタイトルとともに記憶する携帯電話として機能させるためのプログラムであって、コンテンツ提供装置に対して、前記各コンテンツのタイトルを含むタイトル一覧情報を送信するステップ、前記コンテンツ提供装置から、コンテンツ提示装置において前記タイトル一覧に含まれるタイトルのうちの１つが選択されたことを示す選択結果情報を受信するステップ、及び前記選択結果情報により示されるタイトルに対応するコンテンツを前記コンテンツ提供装置に対して送信するステップ、を前記コンピュータに実行させるためのプログラムである。
【発明を実施するための最良の形態】
【００１７】
本発明の実施の形態について、図面を参照しながら説明する。
【００１８】
図１は、本実施の形態にかかるＷ−ＤＬＮＡシステム１のシステム構成図である。同図に示すように、Ｗ−ＤＬＮＡシステム１は、携帯電話１０、ホームネットワーク２０、テレビ２１、Ｗ−ＤＬＮＡ宅内ゲートウェイ用モジュール２２（以下、ゲートウェイ２２と称する。）、通信ネットワーク３０、コンテンツサーバ３１、通信サーバ３２を含んで構成される。なお、図１では携帯電話１０とゲートウェイ２２とを１つずつしか図示していないが、実際にはそれぞれ多数含まれる。
【００１９】
携帯電話１０はメモリを備えており、１又は複数のコンテンツを、そのタイトルとともに記憶している。このコンテンツの具体的な例としては、ビデオ映像、写真、音楽等が挙げられる。携帯電話１０はカメラも備えており、そのカメラで撮影中のビデオ映像も、撮影開始時にタイトルが与えられた上で、上記メモリに逐次記憶される。携帯電話１０は、コンテンツのうち、画像（動画を含む）を含むものについては、その解像度を示す解像度情報も記憶している。また、コンテンツのうち、市販されているビデオ映像や音楽等については、その識別情報（例えば、ＣＤＤＢ(Compact Disc Data Base)−ＩＤ。）も記憶している。
【００２０】
コンテンツサーバ３１も、携帯電話１０同様、１又は複数のコンテンツを、そのタイトル、解像度情報、識別情報とともに記憶している。ただし、コンテンツサーバ３１に記憶されるコンテンツは、市販されているビデオ映像や音楽等のみである。
【００２１】
ホームネットワーク２０、テレビ２１、ゲートウェイ２２は、通常１家庭内に設置されるものである。ホームネットワーク２０は例えば家庭内ＬＡＮ(Local Area Network)であり、テレビ２１及びゲートウェイ２２は、ホームネットワーク２０を介して相互に通信可能に構成されている。
【００２２】
テレビ２１は、Ｗ−ＤＬＮＡのコンテンツ提示装置として機能する。また、ゲートウェイ２２は、Ｗ−ＤＬＮＡのコンテンツ提供装置として機能する。ゲートウェイ２２は、携帯電話１０を外部サーバとしてコンテンツの取得を行い、テレビ２１に提供する。以下、これを実現するための構成について、具体的に説明していく。
【００２３】
通信ネットワーク３０は携帯電話網及びインターネットから構成されており、通信ネットワーク３０に接続される各装置は、ＴＣＰ／ＩＰを用いて相互に通信を行う。ここでは、携帯電話１０、ゲートウェイ２２、コンテンツサーバ３１、通信サーバ３２はいずれも通信ネットワーク３０に接続されており、ＴＣＰ／ＩＰを用いて相互に通信を行う。
【００２４】
通信サーバ３２は、ゲートウェイ２２の通信ネットワーク３０におけるアドレス（ＩＰアドレス）を記憶するデータベースを備えている。また、このデータベースは、各アドレスとゲートウェイＩＤ及び１又は複数のユーザＩＤとを対応付けて記憶する。表１には、通信サーバ３２に備えられるデータベースの記憶内容の具体的な例が示されている。なお、ゲートウェイＩＤは各ゲートウェイ２２に、ユーザＩＤは携帯電話１０の各ユーザに、それぞれ予め付与されているものであり、いずれもＷ−ＤＬＮＡシステム１内で一意な識別情報である。
【００２５】
【表１】
2008252811.tif 000003
【００２６】
通信サーバ３２のデータベースに上記各情報を記憶させるための処理について説明する。ゲートウェイ２２は、通信ネットワーク３０に接続されると、自律的に通信サーバ３２に対する通信を開始する。ゲートウェイ２２は、自身に付与されたゲートウェイＩＤを記憶しており、通信サーバ３２に対して、記憶しているゲートウェイＩＤを送信する。通信サーバ３２は、ゲートウェイＩＤを受信すると、その送信元ＩＰアドレスを取得し、受信したゲートウェイＩＤと対応付けてデータベースに記憶させる。
【００２７】
また、ゲートウェイ２２は、ユーザによる１又は複数のユーザＩＤの入力を受け付け、上記通信により通信サーバ３２に対して送信する。通信サーバ３２は、ユーザＩＤを送信してきたゲートウェイ２２のＩＰアドレスと、受信されたユーザＩＤと、を対応付けてデータベースに記憶する。
【００２８】
携帯電話１０は携帯アプリ又はブラウザを実行可能に構成されており、これらを用いたユーザ操作により通信サーバ３２との通信を開始する。携帯電話１０との通信を開始した通信サーバ３２は、該携帯電話１０に対してユーザＩＤの入力によるログインを要求する。この要求を受けると、携帯電話１０は、ユーザによるユーザＩＤの入力を受け付け、受け付けたユーザＩＤを通信サーバ３２に対して送信する。通信サーバ３２は、こうして受信されたユーザＩＤが、上記データベースに記憶されているものであるか否かを判定し、記憶されていないと判定した場合には携帯電話１０との通信を切断する。一方、記憶されていると判定した場合、通信サーバ３２は、受信されたユーザＩＤと対応付けて記憶される１又は複数のゲートウェイＩＤを携帯電話１０に対して送信する。
【００２９】
携帯電話１０は、ユーザに、受信した１又は複数のゲートウェイＩＤの中の１つを選択させる。これに対してユーザは、携帯電話１０内のコンテンツを提供したいゲートウェイ２２のゲートウェイＩＤを選択する。なお、ユーザが、携帯電話１０内のコンテンツを提供したいゲートウェイ２２のゲートウェイＩＤを知っている場合、選択ではなくユーザがゲートウェイＩＤを入力することとしてもよい。携帯電話１０は、ユーザが選択した（若しくは入力した）ゲートウェイＩＤを通信サーバ３２に対して送信する。
【００３０】
通信サーバ３２は、携帯電話１０からゲートウェイＩＤが受信されると、データベースにおいて該ゲートウェイＩＤを検索し、ログインされているユーザＩＤが該ゲートウェイＩＤと対応付けて記憶されているか否かを判定する。記憶されていると判定した場合に限り、通信サーバ３２は、携帯電話１０に対して、データベースに該ゲートウェイＩＤと対応付けて記憶されるＩＰアドレスを送信する。
【００３１】
携帯電話１０は、ＩＰアドレスを受信すると、該ＩＰアドレスによって示されるゲートウェイ２２と通信を開始し、記憶している各コンテンツのタイトルを含むタイトル一覧情報を送信する。この場合において、携帯電話１０のユーザが、タイトル一覧情報に含めるタイトルを選択できるようにすることが望ましい。ゲートウェイ２２は、こうして送信されたタイトル一覧情報を受信すると、これを記憶する。
【００３２】
また、携帯電話１０は、通信中、所定情報（空のＴＣＰパケット等）を定期的に該ゲートウェイ２２に対して送信する。これにより、ゲートウェイ２２から後述する選択結果情報が受信されるのを待機する。
【００３３】
テレビ２１は、通信可能なコンテンツ提供装置を検索する機能を有し、検索されたコンテンツ提供装置（ここではゲートウェイ２２）からタイトル一覧を取得して、各タイトルを各一行で表示する。
【００３４】
具体的に説明する。テレビ２１は、ユーザによるリモコンを用いてのタイトル一覧の送信要求操作を受け入れ、ゲートウェイ２２に対し、ユーザがタイトル一覧の送信要求操作をしたことを示す送信要求情報を送信する。ゲートウェイ２２は、送信要求情報を受信すると、記憶しているタイトル一覧情報を返信する。このとき、タイトル一覧情報をＩＰパケットに含めて送信するのであるが、その送信元アドレスは、ホームネットワーク２０における自身のＩＰアドレスとする。
【００３５】
テレビ２１は、タイトル一覧情報を受信すると、該タイトル一覧情報に含まれる各タイトルを各一行で表示する。テレビ２１は、各タイトルを表示中、ユーザによるリモコンを用いての行選択操作を受け付ける。テレビ２１は、ユーザが特定行を選択すると、該行に表示しているタイトルが選択されたことを示す選択結果情報を生成し、タイトル一覧情報の送信元アドレス（ゲートウェイ２２）に対して送信する。
【００３６】
ゲートウェイ２２は、受信した選択結果情報を携帯電話１０に対して転送する。携帯電話１０は、選択結果情報を受信すると、受信された選択結果情報により示されるタイトルに対応するコンテンツを取得し、その解像度情報及びその識別情報とともにゲートウェイ２２に対して送信する。
【００３７】
ゲートウェイ２２は、携帯電話１０からコンテンツを受信すると、コンテンツサーバ３１にアクセスし、受信されたコンテンツの高解像度版が記憶されているか否かを判定する。具体的には、コンテンツサーバ３１に、受信されたコンテンツの識別情報と対応付けて記憶されるコンテンツがあるか否かを判定し、あると判定した場合に、コンテンツサーバ３１に記憶される該コンテンツの解像度情報を取得する。そして、取得した解像度情報と、携帯電話１０から受信された解像度情報と、を比較し、コンテンツサーバ３１に記憶される該コンテンツの解像度情報の方が良い場合に、コンテンツサーバ３１に高解像度版が記憶されていると判定する。
【００３８】
ゲートウェイ２２は、コンテンツサーバ３１に高解像度版が記憶されていると判定した場合、該高解像度版をコンテンツサーバ３１から読み出して再生し、テレビ２１に対して送信する。一方、コンテンツサーバ３１に高解像度版が記憶されていないと判定した場合には、携帯電話１０から受信したコンテンツを再生し、テレビ２１に対して送信する。なお、この場合においても、ゲートウェイ２２は、コンテンツの送信に用いるＩＰパケットの送信元アドレスを、ホームネットワーク２０における自身のＩＰアドレスとする。すなわち、携帯電話１０から受信されるＩＰパケットの送信元アドレスは携帯電話１０のＩＰアドレスとなっているが、そのＩＰアドレスを自身のＩＰアドレスに変換した上で、テレビ２１に対して転送する。
テレビ２１は、以上のようにしてゲートウェイ２２からコンテンツを受信し、ユーザに対して提示する。すなわち、表示又は発音を行う。
【００３９】
以上説明したように、携帯電話１０、通信サーバ３２、これらを含む通信システム、ゲートウェイ２２の各装置によれば、携帯電話１０は、Ｗ−ＤＬＮＡの外部サーバとして機能することができる。
また、ユーザＩＤにより、携帯電話１０が通信可能なゲートウェイ２２を制限することができる。
【００４０】
さらに、一般に、携帯電話は一定時間送受信するものがないと通信を切断してしまうところ、上記通信システムによれば、携帯電話１０は、ゲートウェイ２２と通信開始した後、ユーザの意思（切断ボタンの押下等）や無線状態の悪化により通信が終了するまでの間、ゲートウェイ２２と通信を保つことができるようになる。そしてこれにより、選択結果情報を適切に受信できるようになる。
【００４１】
また、携帯電話１０は、パソコン等に比べ、メモリ容量が少なくＣＰＵのスペックも低いため、記憶しているコンテンツの解像度が低くなっていることが多く、解像度の低いコンテンツは、携帯電話の小さな画面で見るのには良いが、家庭の大画面テレビで見るのには適さないところ、ゲートウェイ２２によれば、携帯電話から受信したコンテンツの高解像度版がコンテンツサーバ３１にある場合には、携帯電話から受信したコンテンツに代えて高解像度版をテレビ２１に対して送信することができるので、テレビ２１は、家庭の大画面テレビで見るのに適したコンテンツを提示できるようになる。
【００４２】
以上本発明の実施の形態について説明したが、本発明はこうした実施の形態に何等限定されるものではなく、本発明は、その要旨を逸脱しない範囲において、種々なる態様で実施され得ることは勿論である。
【００４３】
例えば、ゲートウェイ２２は、携帯電話１０から受信したコンテンツをキャッシュに一時保存しておくこととしてもよい。こうすれば、テレビ２１から２度以上同じコンテンツの提供を要求された場合（すなわち、同じタイトルに係る選択結果情報が２度以上受信された場合）において、携帯電話１０との間の通信量を削減することができる。
【００４４】
また、テレビ２１は、ゲートウェイ２２に対し、携帯電話１０が記憶しているコンテンツに変化があった場合の通知を要求する旨の情報（イベント登録情報）を送信することとしてもよい。この場合、ゲートウェイ２２は、このイベント登録情報を携帯電話１０に転送する。イベント登録情報を受信した携帯電話１０は、記憶しているコンテンツに変化があった場合に、ゲートウェイ２２に対して通知情報を送信する。ゲートウェイ２２は、通知情報を受信すると、その送信元アドレスを自身のＩＰアドレスに変更するとともに、そのＴＣＰポートを所定のＴＣＰポートに変更した上で、テレビ２１に対して転送する。テレビ２１は、通知情報を受信すると、ユーザに対して提示するとともに、ユーザによる送信要求操作の入力を待機する。送信要求操作の入力がされた後の処理は、上述の通りである。このようにすることにより、ユーザは、適切なタイミングで送信要求操作をすることができるようになる。
【００４５】
また、上記各装置の機能を実現するためのプログラムをコンピュータ読み取り可能な記録媒体に記録して、この記録媒体に記録されたプログラムをコンピュータシステムに読み込ませ、実行することにより、上記各装置の処理を実現してもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【００４６】
【図１】本発明の実施の形態にかかるＷ−ＤＬＮＡシステムのシステム構成図である。
【符号の説明】
【００４７】
１  Ｗ−ＤＬＮＡシステム、
１０  携帯電話、
２０  ホームネットワーク、
２１  テレビ、
２２  Ｗ−ＤＬＮＡ宅内ゲートウェイ用モジュール、
３０  通信ネットワーク、
３１  コンテンツサーバ、
３２  通信サーバ。
【図１】
2008252811.tif 000004